(57)【要約】  本発明は狭い室内空間用ラケット競技のシャトルコックに関し、ベースの直径は１６〜２３ｍｍ、ベースの垂直長さは１４〜２１ｍｍ、ベースの下部終端から羽毛の上部終端までの垂直長さが５０〜８０ｍｍ、羽毛の終端直径が４０〜６０ｍｍであり、羽毛は１０〜１４枚を用い、重量は１．５〜３ｇであるシャトルコックを提供して、飛行距離及び高さを減少させて狭い空間でも競技ができるようにし、軽くて老弱者及び子供も容易に利用しながらも、関節などに無理を与えないようにし、シャトルコックの飛行距離が短くなるのでシャトルコックが落下することなく往復して興を添え、簡単にできて国民スポーツとして普及するのに適切する。
2012533395.tif 000002
【特許請求の範囲】
【請求項１】
ラケット競技のシャトルコックにおいて、ベース（２１０）の直径は１６〜２３ｍｍ、ベース（２１０）の垂直長さは１４〜２１ｍｍ、ベース（２１０）の下部終端から羽毛（２２０）の上部終端までの垂直長さは５０〜８０ｍｍ、羽毛（２２０）の終端直径は４０〜６０ｍｍであり、羽毛（２２０）は１０〜１４枚を用い、重量は１．５〜３ｇであることを特徴とする狭い室内空間用ラケット競技のシャトルコック。
【請求項２】
シャトルコックの重量は羽毛の寸法とベースの寸法の中で一つ以上を選択して前記範囲内で調整することを特徴とする請求項１に記載の狭い室内空間用ラケット競技のシャトルコック。
【請求項３】
シャトルコックのベースは天然コルクと人造コルクを合紙するか、空隙率の異なる人造コルクを合紙し、空隙率は所望のシャトルコックの重量によって選択して用い、コルクの外周に外皮をカバーしたことを特徴とする請求項１に記載の狭い室内空間用ラケット競技のシャトルコック。
【発明の詳細な説明】
【技術分野】
【０００１】
本発明は狭い室内空間でゲームができるようにし、且つ使用者が重量を選択することができるようにしたラケット競技用シャトルコックに関する。
【背景技術】
【０００２】
一般に、ラケットで球（シャトルコック）を打つ競技としては、テニス、バドミントン、スカッシュ、スピードミントンなどがあり、この中バドミントン競技セットを構成する用品を以下でより具体的に説明する。
【０００３】
まず、ラケットは、図１に示すように、グリップ２、ストリング（ｓｔｒｉｎｇ）部４、前記ストリング部４が設置されたヘッド６、シャトルコックを打撃する時の衝撃力は減少しながら弾性力は加えるために中空に形成されたシャフト８、スロート９で構成され、２００〜２５０ｍｍ範囲のグリップ２部分を含んで、全体長さが６８０ｍｍ、全体幅は２３０ｍｍを超えてはいけなく、ストリング部４は全体長さ２８０ｍｍ、広さ２２０ｍｍ以内でなければならなく、シャフトの直径は７〜８．５ｍｍで、断面厚さは１．５〜２．５ｍｍである。
【０００４】
シャトルコックは、図２に示すように、鳥の羽毛２０を半球状のコルクで形成されたベース１０に埋め込んだもので、重量は４．５〜５．５ｇで、コルクの直径は２．５〜２．８ｃｍで、羽毛の枚数は１６枚、羽毛の先端からベースの上部面までの長さは６．４〜７．０ｃｍで、羽毛の先端直径は５８〜６８ｍｍ、ベース１０の上部面と羽毛２０の外周面は６５°〜７５°の角度を有し、最高速度は３２０ｋｍ／ｈで、競技者がコートの一隅でアンダーハンドで打って反対側のバックバウンダリーライン内側の５３〜９９ｃｍの間に落下させなければならない。
【０００５】
しかし、このようなバドミントンは、シャトルコックがテニスボールなどに比べて相対的に軽く、羽毛が所定の角度に広がっていて風の影響をたくさん受けるため、室外では弱い風にもシャトルコックが所望の方向と距離に飛行することができなくて、公式競技の場合、風などが全て遮られた室内競技場でしなければならなく、この場合シャトルコックの飛行距離と飛行高さを確保するために天井の高さは最小９ｍ以上を確保するようにしている。
【０００６】
このように、従来のバドミントン競技は、一般的な建物の室内空間が確保しにくい９ｍ以上の天井の高さと１３．４ｍのコートを適用するための面積を確保した空間が必要となるので、専門的な競技場でないと十分な高さと面積を有する空間の確保がほとんど不可能であるという問題点があって大衆的な普及及び拡散に問題があった。
【０００７】
また、シャトルコックがラケットに打たれた時に発生する振動が腕に刺激を与えてテニスエルボーが発生される問題点があった。
【０００８】
一方、前記バドミントンが風の抵抗をたくさん受ける問題点を解決するために、バドミントンとテニスを接木したスピードミントンが普及されている。これはベースをゴム材質で重くしたスピーダーを利用して風の抵抗を少なく受けるようにしたのである。
【０００９】
しかし、このようなスピードミントンのスピーダーはシャトルコックより重くて関節に良くない影響を及ぼし、速度が早くて老弱者や子供には相応しくない。
【００１０】
このような問題点、即ち狭い空間でもラケット競技を行い、関節に負担を減少させるために、本発明の出願人は同日に狭い室内空間でもラケット競技が可能なラケット競技セット及びその競技方法を出願しており、このような狭い室内空間でラケット競技を行うために最も重要なのはシャトルコックの飛行距離である。
【００１１】
しかし、上述したように、シャトルコックの飛行距離を減らすためには、羽毛とベースの寸法及び重量を適正に調整することが重要であるが、従来にはこのように飛行距離を減らすための如何なる実施形態も見つかることができない。従来のバドミントンシャトルコックの寸法を単純に減少させるだけでは所望の飛行距離を得ることが困難であるとともに、安定的な飛行曲線を保持しにくい。
【００１２】
その例として、羽毛の寸法のみを従来のバドミントンシャトルコックに比べて小さく形成する場合、シャトルコックが飛行中に中心が崩れてシャトルコックが安定的に飛行することができなくなり、また、ベースに比べて相対的に羽毛の寸法が小さくなりながら空気の抵抗を少なく受けるためシャトルコックの飛行距離が従来よりさらに長くなる問題点があった。また、羽毛の寸法はそのままにし、ベースのみ従来より小さい寸法に製作する場合には、重量が軽くなるだけ飛行距離が短くなるが、ベースに比べて羽毛の寸法が余りにも大きくなって、飛行中に空気の抵抗をたくさん受けて飛行距離が短すぎるようになるという問題点があった。
【発明の概要】
【発明が解決しようとする課題】
【００１３】
本発明の目的は狭い室内空間の寸法に適する飛行距離を確保しながら安定的に飛行できるようにシャトルコックの重量と寸法を調整し、特に室内空間の寸法に適する飛行距離を有するシャトルコックを使用者が選択することができるように多様な重量のシャトルコックを提供することをその目的とする。
【課題を解決するための手段】
【００１４】
前記目的を達するための本発明の特徴は、ベースの直径は１６〜２３ｍｍ、ベースの垂直長さは１４〜２１ｍｍ、ベースの下部終端から羽毛の上部終端まで垂直長さは５０〜８０ｍｍ、羽毛の終端直径は４０〜６０ｍｍで、羽毛は１０〜１４枚を用い、重量は１．５〜３ｇであるシャトルコックを提供する。
【００１５】
前記した構成でシャトルコックの飛行距離を多様に調節するためには、羽毛の寸法とベースの寸法の中で一つ以上を選択して前記範囲内で調整するか、シャトルコックのベースを構成するコルクの空隙率を異なるように重量を調整するか、ベースと羽毛との連結部位に接着剤の塗布回数を調整して重量を調整する。
【００１６】
このようなシャトルコックのベース空隙率の調整例として、天然コルクと人造コルクを合紙するか、空隙率の異なる他の人造コルクを合紙し、空隙率は所望のシャトルコックの重量によって選択して用いる。その例として、天然コルクと人造コルクを合紙する場合には、打撃点に天然コルクが位置するようにし、人造コルクを空隙率が異なるようにする場合には、打撃点には天然コルクと対応される空隙率を有する人造コルクを配置し、その上部に合紙される人造コルクは所望の重量によって適当な空隙率を有する人造コルクを選択して用いる。
【発明の効果】
【００１７】
前記のように構成された本発明による効果を説明する。
【００１８】
第一、シャトルコックの飛行距離が従来のバドミントンを含むラケット競技に比べて相対的に短くなり、飛行高度も低くなるので、天井高さが３ｍ〜４ｍの一般的な建物の室内空間でもラケット競技を楽しむことができることから、気候條件や空間的制約なしにいつどこでもラケット競技を楽しむことができるようになって、ラケット競技の普及及び拡散に大きい効果を奏する。
【００１９】
これは、シャトルコックが軽くなって羽毛が従来よりさらに広がるので、飛行中抵抗をたくさん受けて飛行速度と高度が下がるからである。
【００２０】
第二、羽毛の数が減り、ベースの直径と全体大きさ及び全体重量が小さくなってシャトルコックが軽くなるので、打撃の時に発生される衝撃が小さくなってテニスエルボーのような関節損傷を防止するようになる。
【００２１】
さらに、前記したように、荷重による負担が減少されるので、老弱者や子供など老若男女誰もが競技を楽しむことができるようになる。
【００２２】
第三、飛行距離が短くなっただけ打撃で相手のレシーブ後再び打撃するまでの時間が短縮されるので動きが多くなり、寸法が小さくなったラケットとシャトルコックを用いて、早いスピードとパワフルな競技のためには、さらに強いアクションが必要となるので、運動量が多くて青壮年層のように多い運動量を要求する使用者にも適する。
【図面の簡単な説明】
【００２３】
【図１】従来のラケットを示す図面である。
【図２】従来のシャトルコックの斜視図である。
【図３】従来のコート規格を示す図面である。
【図４】本発明によるシャトルコックの構造を示す図面である。
【図５】図４のベース構造を示す図面である。
【図６】本発明によるラケットを示す図面である。
【図７】本発明によるシャフト断面図である。
【図８】従来ラケット競技セットと本発明のラケット競技セットを使った場合シャトルコックの軌跡を示す図面である。
【発明を実施するための形態】
【００２４】
以下、本発明の実施形態を添付図面を参照してより詳しく説明する。
【００２５】
図４〜図５は本発明によるラケット競技用シャトルコックを示す図面で、図６及び図７は前記シャトルコックとともに使われるラケットを示す図面であり、図８は従来ラケット競技セットと本発明のシャトルコックとラケットを使った場合シャトルコックの軌跡を示す図面である。
【００２６】
本発明によるラケット競技用シャトルコックは、図４に示すように、ベース２１０の直径は１６〜２３ｍｍ、ベース２１０の垂直長さは１４〜２１ｍｍ、ベース２１０の下部終端から羽毛２２０の上部終端までの垂直長さが５０〜８０ｍｍ、羽毛２２０の終端直径が４０〜６０ｍｍ、羽毛２２０は１０〜１４枚を用い、重量は１．５〜３ｇである。
【００２７】
上記で重量は羽毛の寸法とベースの寸法及びベースの重量の中で一つ以上を選択して前記重量範囲内で調整して決定する。主にベースの材質でシャトルコック全体の重量を決める。
【００２８】
ベースの材質で重量を決める構造は、ベースを製造する過程に、図５に示すように、ベースを構成するコルクを人造コルク２１４と天然コルク２１２を接着剤で接着して合紙したものを使用し、重量を調整するために人造コルク２１４の発泡率を所望の重量によって異なるようにしてそれぞれ異なる空隙率を有するようにして、製作しようとする重量に適する空隙率を有する人造コルクを選択して使用する。
【００２９】
その例として、重量を大きくするためには人造コルクの空隙率が小さく発泡されたものを使用し、重量を小さくするためには人造コルクの空隙率が大きく発泡されたものを使用する。
【００３０】
この時、前記ベース２１０の下部終端、即ち、打撃点には天然コルク２１２を配置することによって打球感が低下されないようにする。
【００３１】
また、前述したように、天然コルク２１２と人造コルク２１４を合紙した後、ベース２１０の形状に合わせて成型し、外周にウレタンコーティングをした原緞を外皮２１６としてカバーしてベースの製造を完了する。
【００３２】
このように製造されたシャトルコックは、フルアンダーストロークで打撃の時、打撃点から着地点までの長さが７．５ｍを超えてはいけない。
【００３３】
他の実施形態として、空隙率の異なる人造コルクを合紙して用いる場合に、打撃点、即ち下部に位置される人造コルクは天然コルクと類似する空隙率を有するようにし、その上部に位置される人造コルクは所望の重量を有するように調整された空隙率を有する人造コルクを使用する。
【００３４】
同時に、前記コルクは二枚を合紙するか三枚以上を合紙して用いることもできる。
【００３５】
一方、空隙率を調整するだけで所望の重量に合わせることができない場合には、ベースと羽毛の連結部位、即ちベースの上部に接着剤の塗布回数を調整することもできる。その例としては、羽毛の寸法とベースの寸法及び空隙率を調整したが、所望の重量に若干達しない場合にはベースの上部面に接着剤を通常は一回塗布すれば良いが二度塗布することで足りない重量を補うことができる。
【００３６】
一方、前記シャトルコックを最適に使用するために、狭い室内空間用ラケット競技に使われる他の用品の構成を簡略に説明する。
【００３７】
図６及び図７は前記シャトルコックとともに使われるラケットを示す図面で、前記ラケットは、図６に示すように、シャトルコックの距離を長くしないために重量を５０ｇ〜７０ｇ範囲にし、全体長さは４３０〜４７０ｍｍ、全体幅は１５０〜１８５ｍｍ、ストリング部１１０の長さは２００〜２２５ｍｍ、グリップ１２０とシャフト１３０及びスロート１４０の寸法は計２３０ｍｍ〜２５５ｍｍ範囲で調整する。
【００３８】
また、シャフト１３０は、図７に示すように、直径が５〜７ｍｍで、断面厚さは０．５〜１．５ｍｍにする。
【００３９】
また、グリップ１２０の寸法は９０〜１６０ｍｍにする。これはグリップを握る時不便を感じないようにするとともに、グリップ寸法を最小化するためである。
【００４０】
また、ストリングの間隔は、一辺が０．６〜１．２ｃｍの四角形になるようにする。これは下記で説明するシャトルコックが寸法が減るだけ狭く形成して、打球の時シャトルコックがストリング間に挟まることが発生されないようにする。
【００４１】
このように構成されたラケットを使って、フルアンダーストロークで打撃の時、シャトルコックは打撃点から着地点までの長さが７．５ｍを超えてはいけない。
【００４２】
以上のように構成されたシャトルコックによれば、シャトルコックの重量を多様に調整して製造することができるので、使用者は自分が使用しようとする空間の寸法に適する重量を有するシャトルコックを選択することができるので、全ての空間でラケット競技をすることができる。
【００４３】
同時に、シャトルコックはベースの大きさが大幅に減少され、羽毛の枚数が減少されて全体的に大きさが小さくなり、重量が従来に比べて大幅に減少されて、従来に比べて飛行高さが低くなり、飛行距離が短くなる。
【００４４】
このような本発明のシャトルコックとこれに適するラケットを用いた場合、走行距離と高さを図８を参照して説明すると、図８の点線は、ロングハイサービスの時、従来のバドミントンラケットとシャトルコックを用いた時の飛行軌跡を示し、実線は本発明のラケットとシャトルコックを用いてロングハイサービスの時のシャトルコックの飛行軌跡を示す。本発明の飛行軌跡が従来に比べて低く且つ短いことが分かる。
【００４５】
これによって、本発明のシャトルコックとラケットを用いる場合、シャトルコックの飛行高さが低くなり、飛行距離が短くなるので、室内で運動が可能であり、通常３〜４ｍ高さの室内で競技が可能になる。
【符号の説明】
【００４６】
１１０  ストリング部
１２０  グリップ
２１０  ベース
２２０  羽毛
２１２  天然コルク
２１４  人造コルク
２１６  外皮
【図１】
2012533395.tif 000003
【図２】
2012533395.tif 000004
【図３】
2012533395.tif 000005
【図４】
2012533395.tif 000006
【図５】
2012533395.tif 000007
【図６】
2012533395.tif 000008
【図７】
2012533395.tif 000009
【図８】
2012533395.tif 000010
【国際調査報告】
2012533395.tif 000011
2012533395.tif 000012
2012533395.tif 000013
2012533395.tif 000014